(57)【要約】      （修正有）【課題】ケーブルが外方向に引っ張られたとき、巻き戻されることなく所定の位置に固定され、逆に巻き戻しのときは、ケーブルを軽く引っ張ることによって回転盤外のケーブルを自動的に回転盤に巻き戻しできるケーブル巻き戻し装置を提供する。【解決手段】筐体に一つの自由移動するラッチ部品を内設し、ラッチ部品の一端に一つの凸すいを設け、かつ、筐体にラッチ部品下部に一つの回転盤を内設する。回転盤内部に渦形スプリングを設け、かつ、回転盤内部にケーブルを設ける、ケーブルの一端または両端とも接続用の変換ソケットにつなぐことができる。さらに、回転盤に一つの溝を設け、溝の近くに斜め方向のガイド溝及び円弧状の切り溝をそれぞれ設けて、ラッチ部品に設けた凸すいの移動、及び斜め方向のガイド溝及び円弧状の切り溝の組み合わせにより、ケーブルを外方向に引っ張られたとき、巻き戻されることなく所定の位置に固定する。【選択図】図３
0003106584.tif 000002
【実用新案登録請求の範囲】
【請求項１】
一種のケーブル巻き戻し装置であって、
第一、二外部筐体より組み合わせて構成し、そのうち、第二外部筐体に一つの自由移動するラッチ部品を設け、当該ラッチ部品の一端に一つの凸すいを設け、一つの回転盤は、筐体に内設する、当該回転盤表面の外周に溝を設け、当該溝の付近に一つの斜め方向のガイド溝及び一つの円弧状の切り溝を設け、そのうち円弧状の切り溝は斜め方向のガイド溝の端部と互いに接続している、一つの筐体と、
回転盤に内設する一つの渦形スプリングと、
回転盤の周辺に巻き付ける一つのケーブルとからなり、
前述した部品の構成により、ラッチ部品を介してその上の凸すいを移動させ、さらに斜め方向のガイド溝及び円弧状の切り溝の組み合わせにより、ケーブルが外方向に引っ張られたとき、巻き戻されることなく所定の位置に固定され、逆に、巻き戻しのときは、ケーブルを軽く引っ張ることによって、凸すいを制限から開放して回転盤外のケーブルを自動的に回転盤に巻き戻し可能に構成したことを特徴とする、
ケーブル巻き戻し装置。
【請求項２】
請求項１において、ケーブルの中間部分は回転盤に固定されることを特徴とする、ケーブル巻き戻し装置。
【請求項３】
請求項１において、第一外部筐体の一面に、回転盤の挿入用の一つの軸体を突き出して設け、当該軸体に渦形スプリングの引っかけるための一つの軸方向に延長して貫通した切り溝を設けたことを特徴とする、ケーブル巻き戻し装置。
【請求項４】
請求項１において、ケーブルと変換ソケットと接続したことを特徴とする、ケーブル巻き戻し装置。
【考案の詳細な説明】
【技術分野】
【０００１】
本考案は一種のケーブル巻き戻し装置に関し、より詳細には一種のラッチ部品及び斜め方向のガイド溝と凹み溝の組み合わせにより、ケーブルを所定の長さに任意に引き出して、所定の位置に一時的に固定でき、またケーブルを巻き戻すときは、ケーブルをもう１回引っ張るだけで、当該ケーブルを速やかに巻き戻すことができるケーブル巻き戻し装置の構造に関するものである。
【背景技術】
【０００２】
従来式のケーブル収納ボックスは、主に一つの収納ボックスを備える。当該収納ボックスに一つの回転可能なケーブルリールを設け、収納ボックスの上に一つの透明な蓋を被せている。この種の装置の構造は使用するときに、ケーブルリールを回転することにより、ケーブルを絶えずケーブルリールに巻き付けて、ケーブルの巻き戻しの目的を達成している。
【０００３】
しかしながら使用するときに、蓋をあらかじめに開けることが必要のほか、ケーブルリールの外周は平直状であり、ケーブルリールを止める装置も設けられていないため、ケーブルの巻き数が多くなると、ケーブルはケーブルリールより抜け出してしまう恐れがある。
【０００４】
さらに、当該ケーブル収納ボックスのケーブルの引き出す長さは、ユーザーの要望に従って調整できないばかりでななく、所定の位置に固定することができないため、使用するときに、非常に不便を感じる。
【０００５】
前述の欠点を改善するための技術が、図１に示すように日本実用新案登録第３０９３４３０号公報(Japanese Utility Model Registration NO.３０９３４３０)に開示されている。
【０００６】
この考案は一種のケーブル兩端の接続部品または電気接続部品との間に設けるケーブル巻き取り器に関わるもので、当該ケーブル巻き取り器は二つの筐体をかみ合わせた構造で、第一筐体上に軸体を縦に設け、一つの回転盤を内設する、フラット式通信ケーブルを収納するため、回転盤の外周面に二つのケーブルダクトを設けている。
回転盤の表面リングに一つの溝を設けて、溝に隣接した場所に一つの斜め方向のガイド溝を設け、斜め方向のガイド溝に隣接した場所に、一つの円弧状の切り溝を設けて、溝の末端部と隣り合わせて渦型スプリングにつなぐため、軸体に一つの切り溝を設け、第二筐体の内面に位置固定溝を設ける。
さらに回転盤の表面に一つのロールボールを設ける。当該ロールボールは第一、第二筐体を噛み合わせたときに、第一筐体の溝と第二筐体の位置固定溝に対応した場所に位置する。
【０００７】
この種の装置の構造は、ケーブルの巻き戻しを防止する目的は満足するが、ロールボールが球体のため、そのローリング範囲を制限する位置固定溝を設けているが、ローリング方向及び位置を制御することが難しい。
【０００８】
さらに、位置固定溝と一つの筐体の間に隙間が存在するとき、ロールボールはその隙間を介して位置固定溝から抜け出す恐れがある、また、筐体を分解するときに、ロールボールが位置固定溝より飛び出してしまい、ユーザーがその所在を突き止めるが難しい状況に直面する恐れがある。
【考案の開示】
【考案が解決しようとする課題】
【０００９】
本考案の一つの目的は、ケーブルが外方向に引っ張られたとき、巻き戻されることなく所定の位置に固定され、逆に巻き戻しのときは、ケーブルを軽く引っ張ることによって回転盤外のケーブルを自動的に回転盤に巻き戻しできるケーブル巻き戻し装置を提供することにある。
また本考案の他の目的は、ケーブルの中間部分を回転盤上に固定し、ケーブルの両端を外側へ同時に引き出すことができる、ユーザーの便利性に優れたケーブル巻き戻し装置を提供することにある。
【課題を解決するための手段】
【００１０】
本考案に係るケーブル巻き戻し装置は、一つの筐体と、当該筐体は第一、二外部筐体とより組み合わせて構成する。そのうち、第二外部筐体に一つの自由移動するラッチ部品を設け、当該ラッチ部品の一端に一つの凸すいを設ける。一つの回転盤は、筐体に内設する、当該回転盤表面の外周に溝を設け、当該溝の付近に一つの斜め方向のガイド溝及び一つの円弧状の切り溝を設ける。そのうちの円弧状の切り溝は斜め方向のガイド溝の端部と互いに接続している。回転盤に内設する一つの渦形スプリングと、回転盤の周辺に巻き付ける一つのケーブルと、前述した部品の構成により、ラッチ部品を介してその上の凸すいを移動させる。さらに斜め方向のガイド溝及び円弧状の切り溝の組み合わせにより、ケーブルが外方向に引っ張られたとき、巻き戻されることなく所定の位置に固定され、逆に、巻き戻しのときは、ケーブルを軽く引っ張ることによって、凸すいを制限から放され、回転盤外のケーブルを自動的に回転盤に巻き戻されることを特徴とする。
また本考案は前記したケーブル巻き戻し装置において、ケーブルの中間部分は回転盤に固定されることを特徴とする。
また本考案は前記したケーブル巻き戻し装置において、第一外部筐体の一面に、回転盤の挿入用の一つの軸体を突き出して設け、当該軸体に渦形スプリングの引っかけるための一つの軸方向に延長して貫通した切り溝を設けたことを特徴とする。
また本考案は前記したケーブル巻き戻し装置において、ケーブルと変換ソケットと接続したことを特徴とする。
【考案の効果】
【００１１】
本考案は次のような効果がある。
当該装置に一つの筐体を設け、当該筐体中一つの回転盤を内設し、当該回転盤に渦形スプリングを設け、かつ当該回転盤にケーブルを巻き付ける、当該ケーブルの一端または両端に接続用のつなぎ台座につなぐことができる、さらに、当該回転盤に一つの溝を設け、当該溝に一つのラッチ部品を設けて、当該ラッチ部品の一端は筐体に挿入する、かつ、当該溝近くの場所に斜め方向のガイド溝及び円弧状の切り溝をそれぞれ設けて、ラッチ部品の移動、及び斜め方向のガイド溝及び円弧状の切り溝の組み合わせにより、ケーブルを一定の長さに引き出されたときに、段階的な逆戻りを止める働きを形成し、所定の位置に一時的に固定できる。
逆に、ケーブルをさらに引き出すことによって、ラッチの働きを解除して、ケーブルを自動で巻き戻すことができる。
このように使用が簡単のうえ、収納時も極めて便利である。
ケーブルは中間部分を回転盤上に固定して、ユーザーの便利を配慮するため、当該ケーブルの兩端は外側へ同時に引き出すことができる。
【考案を実施するための最良の形態】
【００１２】
以下、添付図面を参照して本考案の好適な実施の形態を詳細に説明する。
本考案は一種のケーブル巻き戻し装置で、図２、３は本考案の一実施例を示す。
当該装置は一つの筐体１０を設け、当該筐体１０は第一外部筐体１１及び第二外部筐体１２が互いに組み合わせた構造である。
【００１３】
そのうち、第一外部筐体１１の一面に一つの外側へ突き出す軸体１１１を設け、当該軸体１１１に一つの軸方向に延長してその内面に切り溝１１２を設け、当該切り溝１１２に一つのねじ穴１１２１を設ける。当該第一外部筐体１１の兩側に凸すい１１３と凹み溝１１４をそれぞれ設ける。
【００１４】
さらに、第二外部筐体１２兩側に凸すい１１３と凹み溝１１４配合の凹み溝１２１及び凸すい１２２をそれぞれ設けて、当該第二外部筐体１２は凹み溝１２１及び凸すい１２２と凸すい１１３と凹み溝１１４と噛み合わせて、第一外部筐体１１と結合させる。
さらに、当該第二外部筐体１２に一つの穿孔１２３を設け、ねじ合わせ部品１３(本実施例は、ねじを用いる)を貫通させ、第一外部筐体１１ねじ穴１１２１内部にねじ込んで、第一、二外部筐体１１、１２の結合をより安定させる。
【００１５】
当該第二外部筐体１２の表面に一つのカーバープレート１４を有し、かつ、当該第二外部筐体１２に一つの凹み溝１２４を設け、当該凹み溝１２４内部に一つの挿し棒１２５を設け、当該挿し棒１２５上に一つのラッチ部品１２６を内設する。本実施例においては一つの棒材を用いる。
【００１６】
当該ラッチ部品１２６の一端に一つのカラー１２６１を設ける。当該カラー１２６１は挿し棒１２５上にはめ込むことができる。
【００１７】
もう一端に第一外部筐体１１方向に延伸する凸すい１２６２を設けて、当該ラッチ部品１２６は挿し棒１２５を中心として、凹み溝１２４上に振り回ることができる(図４に示す通り)、かつ、当該凹み溝１２４上に一つのパネル１２７を被せて、当該パネル１２７はラッチ部品１２６と挿し棒１２５の装入端を被せることができる。
【００１８】
さらに、当該筐体１０は軸体１１１周辺にはめ込む受入れ台座２０を内設し、当該受入れ台座２０に一つ軸体１１１上にはめ込む回転盤３０を設け、当該回転盤３０に一つの位置決め穴３１を設ける。
【００１９】
当該位置決め穴３１は第一外部筐体１１の軸体１１１に挿入され、かつ当該回転盤３０の外周に少なくとも一つのケーブルダクト３２、且当該回転盤３０表面の外周にケーブルダクト３３を設ける。当該ケーブルダクト３３の近く場所に一つの斜め方向のガイド溝３４及び一つの円弧状の切り溝３５を設ける。
そのうち、円弧状の切り溝３５は斜め方向のガイドケーブルダクト３３の端部と接続している(図５に示す通り)。
【００２０】
さらに、当該回転盤３０に一つの渦形スプリング５０を内設し、当該渦形スプリング５０の内側に一つのラッチ端面５１を設ける。
【００２１】
当該ラッチ端面５１は第一外部筐体１１軸体１１１の切り溝１１２上に設置している。
このほか、当該回転盤３０周辺にケーブル６０巻き付ける。当該ケーブル６０はケーブルダクト３２によって回転盤３０内部を通して、回転盤３０によって固定され、ケーブル６０兩端とも外方向に引っ張ることができる。
【００２２】
当該ケーブル６０の兩端に変換ソケット７０をそれぞれ設けられる、本実施例においてはＵＳＢソケットを用いて、ユーザーの携帯使用に便利する。
【００２３】
図２、３、４、５、６、７、８、９、１０、１１に示すように、ユーザーがケーブル６０を引き出して、回転盤３０を逆時計方向に回転させるとき、ケーブルダクト３３中のラッチ部品１２６の凸すい１２６２は円弧状の切り溝３５に対して時計方向に回転され、適時に所定の位置(図６に示す通り)に固定される。
【００２４】
ケーブルを引き続きに引き出すときは、まずケーブル６０をいったん引っ張ってから手を放す。このような操作によって、ラッチ部品１２６の凸すい１２６２が渦形スプリング５０の変形により、時計方向に移動される(図８に示す通り)、当該凸すい１２６２が斜め方向のガイド溝３４に移動して、斜め方向のガイド溝３４の限制を受ける。
【００２５】
ラッチ働きを起こしたときは、位置決めの効果を有する(図７に示す通り)、このように、ユーザーはケーブル６０を必要な長さに引っ張ることができる。
【００２６】
また、前述のラッチ働きにより、所在位置に固定され、ユーザーの必要に応じてケーブル６０を外部に引き出す長さを調整できる。
【００２７】
そのときユーザーはケーブル６０を引き続きに引き出す場合は、ケーブル６０を引き続きに引き出せば良い。
【００２８】
この操作により、斜め方向のガイド溝３４に対するラッチ働きは起こらず、回転盤３０は引き続きに逆時計方向に回転させ、そして斜め方向のガイド溝３４中の凸すい１２６２はケーブルダクト３３に対して時計方向に移動される(図９に示す通り)。
【００２９】
図１０に示す通り、ユーザーがケーブル６０を巻き戻すときは、ケーブル６０を少し引っ張るだけで、ラッチ部品１２６の凸すい１２６２は斜め方向のガイド溝３４よりケーブルダクト３３に移動される同時に、回転盤３０も渦形スプリング５０の働きにより、時計方向に回転して、ケーブル６０を素早く自動回収される(図１１に示す通り)。
【００３０】
このように、ケーブル６０が一定の長さに引き出されるたびに、段階的な逆戻りラッチ働きを引き起し、ケーブル６０の所在位置に一時固定させるほか、さらに一定の長さに引き出された後は、ケーブル６０を再びに引き出すことによって、ケーブル６０を自動に巻き戻され、ユーザーの使用に便利となる。
【図面の簡単な説明】
【００３１】
【図１】従来式の立体分解図。
【図２】本考案の立体イメージ図。
【図３】本考案の立体分解図。
【図４】本考案の第二外部筐体と回転盤の立体分解図。
【図５】本考案のラッチ部品が回転盤表面上に組み合わせたイメージ図。
【図６】本考案ケーブルが引き出されたとき、回転盤回転するときの平面イメージ図。
【図７】本考案の、渦形スプリングの変形により回転盤が回転するときの平面イメージ図。
【図８】本考案の、予定の長さに引き出されて、ラッチが働きかけたときのイメージ図。
【図９】本考案のケーブルが引き続きに引き出されて、回転盤が回転するときのイメージ図。
【図１０】本考案のケーブルを戻されるとき、回転盤が回転するときのイメージ図。
【図１１】本考案の回転盤が引き続きに回転するときのイメージ図。
【符号の説明】
【００３２】
１０・・・・・・筐体
１１・・・・・・第一外部筐体
１１１・・・・・軸体
１１２・・・・・切り溝
１１２１・・・・ねじ穴
１１３・・・・・凸すい
１１４・・・・・凹み溝
１２・・・・・・第二外部筐体
１２１・・・・・凹み溝
１２２・・・・・凸すい
１２３・・・・・穿孔
１２４・・・・・凹み溝
１２５・・・・・挿し棒
１２６・・・・・ラッチ部品
１２６１・・・・カラー
１２６２・・・・凸すい
１２７・・・・・パネル
１３・・・・・・ねじ合わせ部品
１４・・・・・・蓋
２０・・・・・・受入れ台座
３０・・・・・・回転盤
３１・・・・・・位置決め穴
３２・・・・・・ケーブルダクト
３３・・・・・・溝
３４・・・・・・斜め方向のガイド溝
３５・・・・・・円弧状の切り溝
５０・・・・・・渦形スプリング
５１・・・・・・ラッチ端面
６０・・・・・・ケーブル
７０・・・・・・変換ソケット
【図１】
0003106584.tif 000003
【図２】
0003106584.tif 000004
【図３】
0003106584.tif 000005
【図４】
0003106584.tif 000006
【図５】
0003106584.tif 000007
【図６】
0003106584.tif 000008
【図７】
0003106584.tif 000009
【図８】
0003106584.tif 000010
【図９】
0003106584.tif 000011
【図１０】
0003106584.tif 000012
【図１１】
0003106584.tif 000013